(57)【要約】【課題】    学習問題を提供する方法及び装置を提供する。【解決手段】サーバーが学習問題を提供する方法であって、学習者端末に表示される画面の第１領域に学習コンテンツを表示するａ段階、前記画面の第２領域にＡＩ客体を固定表示するｂ段階、前記学習者の学習進行状況が既に設定された客体活性化条件を満たすか否かを判断するｃ段階、前記学習進行状況が前記客体活性化条件を満たすと、前記ＡＩ客体が活性化されながら、前記ＡＩ客体と隣接した前記画面の第３領域に前記客体活性化条件に対応するＡＩメッセージを表示するｄ段階を含むことをこと特徴とする。本発明によれば、学習者の問題解き状況に合わせて適応型にユーザインターフェースが変化し、ユーザの持続した学習を誘引することができる。【選択図】  図２
2021516809.tif 000002
【特許請求の範囲】
【請求項１】
サーバーが学習問題を提供する方法であって、
学習者端末に表示される画面の第１領域に、学習コンテンツを表示するａ段階；
前記画面の第２領域に、ＡＩ客体を固定表示するｂ段階；
前記学習者の学習進行状況が既に設定された客体活性化条件を満たすか否かを判断するｃ段階；
前記学習進行状況が前記客体活性化条件を満たすと、前記ＡＩ客体が活性化されながら、前記ＡＩ客体と隣接した前記画面の第３領域に、前記客体活性化条件に対応するＡＩメッセージを表示するｄ段階を含む、学習問題提供方法。
【請求項２】
前記ｃ段階は、
前記端末から受信された学習者入力によって前記第１領域の表示内容が変更されると、前記学習進行状況が前記客体活性化条件を満たすと判断する段階を含み、
前記ｄ段階は、
前記表示内容に対応するＡＩメッセージを前記第３領域に表示する段階を含む、請求項１に記載の学習問題提供方法。
【請求項３】
前記ｃ段階は、
前記端末から受信された学習者入力によって前記学習者の学習結果が変更されると、前記学習進行状況が前記客体活性化条件を満たすと判断する段階を含み、
前記学習結果は、前記学習者の問題解き結果を用いて演算される予測点数、前記予測点数の既に設定した目標点数への到達有無、前記学習者の問題解き結果の正誤答、前記学習者の問題解き結果を用いて演算される前記学習者の学習領域別成就度、前記学習者の問題解き結果を用いて演算される前記学習者の等級情報、又は前記学習者の問題解き結果を用いて演算される次の問題の正答確率を含む、請求項１に記載の学習問題提供方法。
【請求項４】
前記ｄ段階は、
前記条件に対応する一つ以上のＡＩメッセージを、既に設定された優先順位によって前記第３領域に順次に表示する段階を含み、
前記ＡＩメッセージには、学習者入力を受信するアクション客体が一つ以上含まれ、
前記学習問題提供方法は、
前記端末から前記ＡＩ客体を非活性化する第１アクション客体を選択する入力が受信されると、前記ＡＩ客体を非活性化し、前記端末から前記サーバーに既に保存された第１学習コンテンツに対応する第２アクション客体を選択する入力が受信されると、前記第１学習コンテンツを前記第１領域に表示するｅ段階をさらに含む、請求項１に記載の学習問題提供方法。
【請求項５】
前記学習コンテンツが問題解きコンテンツである場合、
前記ｃ段階は、
前記端末から第１問題に対する答案が入力されると、第１客体活性化条件を満たすと判断する段階を含み、
前記第１客体活性化条件に対応するＡＩメッセージは、
次の問題のローディングメッセージ、前記答案の正誤、前記答案の正誤を用いて演算される前記学習者の学習領域別成就度、前記答案の正誤を用いて演算される前記学習者の等級情報、前記答案の正誤を用いて演算される前記学習者の脆弱学習領域、前記脆弱学習領域に対応する推薦講義名又は前記推薦講義のリンクのうち少なくとも一つを含む、請求項１に記載の学習問題提供方法。
【請求項６】
前記第１問題が一つ以上の問題を含む問題解きコンテンツの最後の問題であれば、前記第１客体活性化条件に対応するＡＩメッセージは、前記問題解きコンテンツの分析結果統計又は完了メッセージのうち少なくとも一つを含む、請求項５に記載の学習問題提供方法。
【請求項７】
前記ｃ段階は、
前記学習者入力が新規問題学習要請であれば、前記学習者の診断テスト結果がデータベースに存在するか否かを確認する段階；
前記学習者の診断テスト結果がデータベースに存在しなければ、診断テストを誘導する第２客体活性化条件を満たすと判断する段階を含み、
前記第２客体活性化条件に対応するＡＩメッセージは、
前記診断テストを誘導するメッセージ及び前記診断テストを実行するアクション客体を含む、請求項１に記載の学習問題提供方法。
【請求項８】
前記ｃ段階は、
完了していない第１学習コンテンツが存在する状態で前記端末から新規学習コンテンツ開始入力が受信されると、第３客体活性化条件を満たすと判断する段階を含み、
前記第３客体活性化条件を満たすＡＩメッセージは、
前記第１学習コンテンツの学習を誘導するメッセージ及び前記第１学習コンテンツを実行するアクション客体を含む、請求項１に記載の学習問題提供方法。
【請求項９】
前記学習コンテンツが問題解きコンテンツである場合、
前記ｃ段階は、
任意の問題を前記第１領域に表示し、前記問題に対する答案が入力された時間が既に設定された基準値未満であれば、第４客体活性化条件を満たすと判断する段階を含み、
前記第４客体活性化条件に対応するＡＩメッセージは、
問題を解く速度に対する通知メッセージを含む、請求項１に記載の学習問題提供方法。
【請求項１０】
前記画面は、前記サーバーが提供するウェブページ又は前記サーバーが提供する応用プログラムが表示されることを特徴とする、請求項１に記載の学習問題提供方法。
【請求項１１】
前記第１領域は前記第２領域及び前記第３領域と異なるレイヤに表示されることを特徴とする、請求項１に記載の学習問題提供方法。
【請求項１２】
前記画面上段の固定した一領域に、問題を解く時間を表示するｆ段階；
前記画面上段の固定した一領域に、既に設定された第１目標個数と解いた問題の個数との比を表示するｇ段階；
前記第１領域の一側に位置した第１コンテンツ表示領域に、文字、写真又は音声の本文を含む本文客体を一つ以上表示するｈ段階；
前記第１コンテンツ表示領域に隣接した第２コンテンツ表示領域に、質問又は選択肢のうち少なくとも一つを含む問題客体を一つ以上表示するｉ段階；
前記画面下段に進行要請ボタンをフローティングさせるｊ段階を含み、
前記ｇ段階は、
前記進行要請ボタンが選択されると、解いた問題の個数と前記第１目標個数とを比較し、該比較の結果、解いた問題の個数が前記第１目標個数を達成又は超過すると、前記第２領域の表示を、既に設定された第２目標個数と前記解いた問題の個数との比に切替表示する段階を含む、請求項１に記載の学習問題提供方法。
【請求項１３】
問題解きモードにおいて、
前記ｆ段階は、前記問題を解く時間をカウントする段階を含み、
前記ｈ段階は、前記第１コンテンツ表示領域に本文客体を表示する段階を含み、
前記ｉ段階は、学習者が前記選択肢のいずれか一つを選択すると、選択された選択肢以外は非活性化表示する段階を含み、
前記ｊ段階は、前記表示された問題客体の全てに対して選択が完了すると、前記進行要請ボタンを活性化させる段階を含む、請求項１２に記載の学習問題提供方法。
【請求項１４】
採点モードにおいて、
前記ｆ段階は、問題を解く時間をカウントしない段階を含み、
前記ｈ段階は、前記第１コンテンツ表示領域に、前記文字本文の解析、前記音声本文のスクリプト、前記スクリプトの解析、前記音声本文の話者情報、前記文字本文又は前記スクリプトに含まれた単語情報のうち少なくとも一つをさらに表示する段階を含み、
前記ｉ段階は、正答か誤答か、前記質問の解析、前記選択肢の解析、前記問題客体に対する解説、前記問題客体に対する誤答分析情報、前記問題客体の類型に関する情報のうち少なくとも一つをさらに表示する段階を含む、請求項１２に記載の学習問題提供方法。
【請求項１５】
前記ｉ段階は、
学習者が問題解きモードで選択した第１選択肢が誤答である場合、
前記問題客体の下段に前記誤答分析情報を表示し、前記問題客体に含まれた前記第１選択肢は誤答表示し、正答に該当する選択肢は既に設定された第１色で表示し、
前記第１選択肢が正答である場合、前記第１選択肢を前記第１色と異なる第２色で正答表示する、請求項１４に記載の学習問題提供方法。
【請求項１６】
一つ以上の本文客体が前記第１コンテンツ表示領域に一度に表示されないか、一つ以上の問題客体が前記第２コンテンツ表示領域に一度に表示されないと、各領域の一側面に位置したスクロールバーを活性化させる段階をさらに含む、請求項１２に記載の学習問題提供方法。
【請求項１７】
前記音声本文は再生機から音声出力され、
問題解きモードで前記再生機は再生又は一時停止機能を提供し、採点モードで前記再生機は再生、一時停止、再生時点設定機能を提供する、請求項１２に記載の学習問題提供方法。
【請求項１８】
前記ｇ段階は、
前記第１目標個数と解いた問題の個数との比を、各個数に対応する大きさのイメージで表示する、請求項１２に記載の学習問題提供方法。
【請求項１９】
前記本文客体の数を前記第１コンテンツ表示領域の一側面に表示するか、前記問題客体の数を前記第２コンテンツ表示領域の一側面に表示する段階をさらに含む、請求項１２に記載の学習問題提供方法。
【請求項２０】
学習コンテンツ、ＡＩ客体及びＡＩメッセージを保存する保存部；
前記学習コンテンツ、ＡＩ客体及びＡＩメッセージをウェブページ又は応用プログラムに表示するためのユーザインターフェースを生成するＵＩ生成部；
前記ユーザインターフェースによって表示される前記学習コンテンツ、ＡＩ客体及びＡＩメッセージを学習者端末に伝送する通信部を含み、
前記ＵＩ生成部は、
学習者端末に表示される画面の第１領域に学習コンテンツを表示し、前記画面の第２領域にＡＩ客体を固定表示し、前記端末から学習者入力が受信されると、前記学習者の学習進行状況が既に設定された客体活性化条件を満たすか否かを判断し、前記学習進行状況が前記客体活性化条件を満たすと、前記ＡＩ客体が活性化されながら、前記ＡＩ客体と隣接した前記画面の第３領域に前記客体活性化条件に対応するＡＩメッセージを表示するように前記ユーザインターフェースを設定する学習問題提供装置。
【請求項２１】
前記ＵＩ生成部は、
前記画面上段の固定した一領域に、問題を解く時間を表示し、前記画面上段の固定した一領域に、既に設定された第１目標個数と解いた問題の個数との比を表示し、前記第１領域の一側に位置した第１コンテンツ表示領域に、文字、写真又は音声の本文を含む本文客体を一つ以上表示し、前記第１コンテンツ表示領域に隣接した第２コンテンツ表示領域に、質問又は選択肢のうち少なくとも一つを含む問題客体を一つ以上表示し、前記画面の下段に進行要請ボタンをフローティングさせ、
前記進行要請ボタンが選択されると、解いた問題の個数と前記第１目標個数とを比較し、該比較の結果、解いた問題の個数が前記第１目標個数を達成又は超過すると、前記第２領域の表示が既に設定された第２目標個数と前記解いた問題の個数との比に切替表示されるように前記学習者インターフェースを設定する、請求項２０に記載の学習問題提供装置。
【請求項２２】
請求項１〜１８のいずれか一方法を実行させるためにコンピュータ読取り可能媒体に格納された学習問題提供応用プログラム。
【発明の詳細な説明】
【技術分野】
【０００１】
本発明は、学習コンテンツを提供する方法及び装置に関し、より詳細には、学習者の問題解きに対応して動的に動機付けを提供し、学習者のやる気を起こさせるためにＡＩチューターを用いて学習コンテンツを提供する方法及び装置に関する。
【背景技術】
【０００２】
近年、インターネットと電子装置の活用が各分野で活発に行われることに伴って教育環境も急激に変化している。特に、様々な教育媒体の発達により、学習者はより幅広い学習方法を選択して用いることが可能になった。中でも、インターネットを用いた教育サービスは、時間的、空間的制約を克服し、低費用の教育が可能な点から、重要な教授学習手段として位置付けられている。
【０００３】
このようなトレンドに応じて、限られた人的・物的リソースのためにオフライン教育では不可能だったカスタマイズ教育サービスも多様化する一方である。例えば、学習者の個性と能力に合わせて細分化されたレベル別学習を提供することによって、過去の画一的教育方法から脱皮して学習者の個人力量に基づく教育コンテンツを提供している。
【０００４】
しかしながら、このようなカスタマイズ型教育サービスも、今まで提供された大部分の教育コンテンツは一方的な注入式教育の形を取っていた。すなわち、教授者がまず学習者のレベルに合う講義を提供すると、これを受講した学習者はオフライン上で別の学習過程を経た後、評価過程によって学習成果を確認する方式であった。このように、現在までインターネットで提供された教育サービスは、講義を受講する学習者のオフライン上での努力に学習成果が左右されるという点で、従来オフライン上の教授法と別段差がない。さらに、学習者の実質的な実力向上を図るために、両方向教育が可能なインターネット教育環境でその機能を十分に活用できずにいる。
【０００５】
特に、上記のようにオンライン学習が拡大されつつあるにもかかわらず、オンライン学習は講義中心に行われるだけで、模擬試験や問題解きには効果的に用いられていない。
【０００６】
現在販売されているオンライン模擬試験は、一般に、図１の（ａ）に示すように、オフライン問題紙をそのまま移した試験紙領域３０ａと、答案だけをチェックできる答案紙領域３０ｂとに領域を区分して問題を提供するか、或いは図１の（ｂ）に示すように、オフライン問題紙と同じ形式を有するが、実際の選択肢の番号の前に配置されたチェックボックス３０ｃから選択入力を受信できるようにユーザインターフェースを構成する程度である。
【０００７】
図１の（ｂ）に示す方式のオンライン問題解き学習コンテンツは、韓国公開特許第１０−２０１６−００１４３３５号（発明の名称：オンライン学習コンテンツ著作のためのプログラムが記録されたコンピュータ読取り可能な媒体及びオンライン学習コンテンツ著作方法、公開日：２０１６月２月１１日）にも開示されたことがある。
【０００８】
このような表示方式は、オフライン問題紙をオンラインで表示するものに過ぎず、オンライン学習固有の特別な機能を提供するとは言い難い。なお、このような理由から、模擬試験や問題解きコンテンツのオンライン活用が低調であると考えられる。
【０００９】
したがって、オンライン学習は、単純講義から脱皮して問題解きにも活用可能により効果的に問題を表示し、学習者の学習動機を誘発できる方法が要求される。
【発明の概要】
【発明が解決しようとする課題】
【００１０】
本発明は、前述した問題点を解決するためのもので、問題解きがオンラインで効果的になされるように、問題及び選択肢の表示方式をオンライン学習に最適化させた学習問題提供方法及び装置を提供することを一目的とする。
【００１１】
本発明は、学習者に学習動機を提供し続くことによって、集中が乱れやすいウェブ基盤学習の短所を補完できる問題表示方法を提供することを他の目的とする。
【００１２】
本発明は、学習者の問題解き状況に合わせて変化する適応型ユーザインターフェースを提供することによって、ユーザの学習を誘引することを他の目的とする。
【課題を解決するための手段】
【００１３】
このような目的を達成するための本発明は、サーバーがウェブページで問題を提供する方法であって、ウェブページ上段の固定した一領域に、問題を解く時間を表示するａ段階、前記ウェブページ上段の固定した一領域に、既に設定された第１目標個数と解いた問題の個数との比を表示するｂ段階、前記ウェブページの第１コンテンツ表示領域に、文字、写真又は音声の本文を含む本文客体を表示するｃ段階、前記第１コンテンツ表示領域の一側に隣接した第２コンテンツ表示領域に、質問と選択肢で構成された問題客体を一つ以上表示するｄ段階、前記ウェブページの下段に進行要請ボタンをフローティングさせるｅ段階を含み、前記ｂ段階は、前記進行要請ボタンが選択されると、解いた問題の個数と前記第１目標個数とを比較し、該比較の結果、解いた問題の個数が前記第１目標個数を達成又は超過すると、前記一領域の表示を、既に設定された第２目標個数と前記解いた問題の個数との比に切替表示する段階を含むことを一特徴とする。
【００１４】
また、本発明は、学習問題提供装置であって、文字、写真又は音声の本文を含む本文客体、前記本文客体と関連する質問又は選択肢のうち少なくとも一つを含む問題客体を保存する保存部、前記本文客体と問題客体をウェブページに表示するためのユーザインターフェースを生成するＵＩ生成部、及び前記ユーザインターフェースによって表示される前記本文客体と問題客体を学習者端末に伝送する通信部を含み、前記ＵＩ生成部は、ウェブページ上段の固定した一領域に、問題を解く時間を表示し、前記ウェブページ上段の固定した一領域に、既に設定された第１目標個数と解いた問題の個数との比を表示し、前記ウェブページの第１コンテンツ表示領域に、文字、写真又は音声の本文を含む本文客体を一つ以上表示し、前記第１コンテンツ表示領域の一側に隣接した第２コンテンツ表示領域に、質問又は選択肢のうち少なくとも一つを含む問題客体を一つ以上表示し、前記ウェブページの下段に進行要請ボタンをフローティングさせ、前記進行要請ボタンが選択されると、解いた問題の個数と前記第１目標個数とを比較し、該比較の結果、解いた問題の個数が前記第１目標個数を達成又は超過すると、前記一領域の表示が、既に設定された第２目標個数と前記解いた問題の個数との比に切替表示されるように前記ユーザインターフェースを設定することを一特徴とする。
【発明の効果】
【００１５】
前述したような本発明によれば、オンライン学習に最適化された問題及び選択肢の表示方式を提供することができる。
【００１６】
本発明によれば、学習者に持続的な学習誘引及び動機付けを提供し、学習者の集中が乱れやすいウェブ基盤学習の短所を改善することができる。
【００１７】
また、本発明によれば、学習者の問題解き状況に合わせて適応型にユーザインターフェースが変化し、ユーザが学習を持続するように誘引することができる。
【図面の簡単な説明】
【００１８】
【図１】従来のオンライン学習コンテンツ表示方法を説明するための図である。
【００１９】
【図２】本発明の一実施例に係る学習問題提供装置及びその運用環境を説明するための図である。
【００２０】
【図３】本発明の一実施例に係るＡＩ客体及びＡＩメッセージを説明するための図である。
【００２１】
【図４】本発明の一実施例に係る診断テスト完了後のＡＩメッセージを説明するための図である。
【００２２】
【図５】本発明の一実施例に係る問題ローディング画面を説明するための図である。
【００２３】
【図６】本発明の一実施例に係る以前問題を解く時間が３秒以下である場合のＡＩメッセージを説明するための図である。
【００２４】
【図７】本発明の一実施例に係る学習提案ＡＩメッセージを説明するための図である。
【００２５】
【図８】本発明の一実施例に係る予測点数変更時のＡＩメッセージを説明するための図である。
【００２６】
【図９】本発明の一実施例に係る目標点数到達時のＡＩメッセージを説明するための図である。
【００２７】
【図１０】本発明の一実施例に係る学習終了時のＡＩメッセージを説明するための図である。
【００２８】
【図１１】本発明の一実施例に係るウェブページのコンテンツ表示方法を説明するための図である。
【００２９】
【図１２】本発明の一実施例に係る目標個数と解いた問題の個数との比を表示する方法を示す図である。
【００３０】
【図１３】本発明の一実施例に係る問題解きモードでの表示方法を示す図である。
【００３１】
【図１４】本発明の一実施例に係る写真と音声を含む類型の問題表示方法を示す図である。
【００３２】
【図１５】本発明の一実施例に係る音声の本文を含む問題を示す図である。
【００３３】
【図１６】本発明の一実施例によって学習者が選択した選択肢の正誤答による第２コンテンツ表示領域に表示される情報を示す図である。
【００３４】
【図１７】本発明によって問題解きコンテンツを解く中に、学習者の学習進行状況を分析した結果によって客体活性化条件が満たされる場合の実施例を示す図である。
【発明を実施するための形態】
【００３５】
前述した目的、特徴及び長所は添付の図面を参照して詳細に後述され、それに基づいて、本発明の属する技術の分野における通常の知識を有する者であれば本発明の技術的思想を容易に実施できよう。本発明の説明において、本発明と関連した公知技術に関する具体的な説明が却って本発明の要旨を曖昧にさせると判断される場合には、詳細な説明を省略する。以下、添付の図面を参照して、本発明に係る好ましい実施例を詳細に説明する。図面中、同一の参照符号は同一又は類似の構成要素を示し、明細書及び特許請求の範囲に記載された全ての組合せは任意の方式で組み合わせ可能である。そして、特に規定しない限り、単数に関する言及は１つ以上を含むものと理解し、単数表現に関する言及も複数表現を含むものと理解すべきである。
【００３６】
本明細書において‘問題解きモード’とは、学習者が本文と問題を聞いたり読んで選択肢を選択できる状態を意味し、‘採点モード’は、学習者が選択した選択肢の結果及び解説を提供する状態を意味する。
【００３７】
また、本明細書で‘本文客体’は本文を表す独立した客体であり、その特性によって文字本文、写真本文、音声本文に分類できる。‘文字本文’は問題を解くために与えられた内容の文章を意味し、‘写真本文’は問題を解くために与えられた写真、‘音声本文’は問題を解くために与えられた音声を意味する。問題と選択肢が両方とも音声からなる聞き取り問題の場合、‘音声本文’には内容上、選択肢と関連した音声も含まれ得るものと理解され得る。
【００３８】
‘問題客体’は質問及び／又は選択肢で構成され、ユーザの選択肢選択入力を受信できる客体であり、一つの問題に対応する概念である。本発明の明細書船体を通じて‘問題’とは、本文と選択肢からなるコンテンツを意味し、一つの問題が一つの本文と関連している‘単一問題’も、複数の問題が一つの本文と関連している‘結合問題又はグループ問題’も含む概念として理解できよう。
【００３９】
‘学習コンテンツ’は、包括的に学習に活用されるコンテンツを全て含む概念であり、主題別（名詞、動詞、副詞、前置詞、文法、聞き、書き、読み、文章形式など）、問題類型別（ＴＯＥＩＣのＰａｒｔ  １、Ｐａｒｔ  ２、…など）に構成されたコンテンツでよく、学習方式（問題解き、映像講義、テキスト講義など）によって分類できる。すなわち、学習コンテンツは、問題解きコンテンツ、講義コンテンツなどを全て包括する概念である。本明細書では、一例として一つ以上の問題からなる‘問題解きコンテンツ’が提供される場合の一実施例を説明しており、他の実施例の説明において学習コンテンツを本文客体と問題客体とに区分して説明することもある。
【００４０】
以下では、図２を参照して本発明の一実施例に係る学習問題提供装置を説明する。
【００４１】
図２は、本発明の一実施例に係る学習問題提供装置１００及びその運用環境を説明するための図である。
【００４２】
本発明の学習問題提供装置１００は、ＵＩ生成部１３０、保存部１５０、通信部１７０を含むサーバーであり、学習者管理部１９０をさらに含むことができる。学習問題提供装置１００は有無線ネットワークを介して学習者端末５０に問題を提供し、学習者端末５０は、ウェブブラウザ又は端末５０に設置された応用プログラムで問題を確認することができる。
【００４３】
ＵＩ生成部１３０は、保存部１５０に保存された問題解き及び学習コンテンツを効果的に提供できるユーザインターフェースを生成する。問題解き及び学習コンテンツとしては、トーイック（ＴＯＥＩＣ）、トーフル（ＴＯＥＦＬ）、アイエルツ（ＩＥＬＴＳ）、ＪＬＰＴ、ＨＳＫなどの外国語試験問題を含むことができ、小学生、中学生、高校生の科目別問題集を含むことができる。本明細書では主な例示として、ウェブページからＴＯＥＩＣ試験問題が提供される場合の一実施例を中心に説明するが、本発明は、問題の内容及び種類に限定されない。
【００４４】
ＵＩ生成部１３０はウェブページから問題を提供するために、下記のようにウェブページを構成することができる。
【００４５】
一例として、ＵＩ生成部１３０は、図３に示すように、学習者端末に表示される画面の第１領域２４０に学習コンテンツを表示し（ａ段階）、画面の第２領域２３５にＡＩ客体３００を固定表示し（ｂ段階）、端末から学習者入力が受信されると、学習者の学習進行状況が既に設定された客体活性化条件を満たすか否か判断し（ｃ段階）、学習進行状況が客体活性化条件を満たすと、ＡＩ客体３００が活性化されながら、ＡＩ客体３００と隣接した画面の第３領域２４５に客体活性化条件に対応するＡＩメッセージ３５０を表示するようにユーザインターフェースを設定（ｄ段階）することができる。ここで、第１領域は第２領域及び第３領域と異なるレイヤに表示され得る。
【００４６】
ＡＩメッセージ３５０は学習者入力を受信するためのアクション客体を一つ以上含むことができ、サーバー１００は、端末５０からＡＩ客体３００ａを非活性化する第１アクション客体３５１を選択する入力が受信されると、ＡＩ客体を非活性化し、端末５０からサーバー１００に既に保存された第１学習コンテンツに対応する第２アクション客体３５２を選択する入力が受信されると、第１学習コンテンツを第１領域に表示することができる。図３の実施例において、学習者が第１アクション客体３５１（閉じる）をクリックすると、学習者はＡＩ客体を一時的に非活性化させ、元来の画面でしようとした作業を行うことができ、第２アクション客体３５２（診断テストを開始する）をクリックすると、診断テストの最初の問題と選択肢が第１領域２４０に表示されるだろう。学習進行状況がいくつかの条件を満たし、条件に対応するＡＩメッセージが一つ以上存在する場合、ＡＩメッセージは既に設定された優先順位によって第３領域に順次に表示されるように設定され得る。
【００４７】
以下では、本発明の一実施例に係る学習問題提供方法のうち、ＡＩ客体３００及びＡＩメッセージ３５０の具現例についてより具体的に説明する（説明の便宜上、ＵＩ生成部１３０をサーバーと表記する。）。
【００４８】
ＡＩ客体は画面の一領域に固定表示なるイメージであり、学習者の学習進行を管理する一種の人工知能チューターの機能を果たす。画面が切り替わるか、学習者入力が発生した場合、学習者が質疑しようとする場合、学習者の学習進行状況に変動が発生した場合に活性化され、それに対応するＡＩメッセージを提供することによって、学習者にインタラクション管理が続けてなされているという感じを与えることができる。ＡＩ客体及びＡＩメッセージは、毎瞬間、学習者の状況に最も合うコンテンツ及びメッセージを提供し、必要な場合、学習者に問題解きコンテンツ、講義コンテンツなどを提案することができる。これは、従来に定期的又は不定期的にテーブルに保存された順にメッセージを提供する方式とは違い、学習者入力及び学習者の学習進行状況に基づいて知能的に動作するという点で、学習者に格段に大きい動機付け及び成就感を提供することができる。
【００４９】
まず、前記ｃ段階でＵＩ生成部１３０は、端末から学習者入力が受信されると、第１領域２４０の表示内容を変更する。学習者入力は、学習者が端末に設けられた入力インターフェース（マウス、タッチパネル、キーボード、スピーカー、カメラなど）で任意のアクション客体を選択する動作によってなり得る。アクション客体は、ウェブページ又は応用プログラムで画面切替又はコンテンツ変更を選択できるように画面に表示された客体であり、リンク又は既に設定された入力値に対応するボタン、アイコン、イメージ、テキストなどを含む。例えば、学習者がマウスを用いて特定学習項目を選択する、「後へ」を押す、或いは複数個の選択肢の中から一つを選択して答案を提出する、との入力などが学習者入力に該当し得る。
【００５０】
ＵＩ生成部１３０は、ｃ段階でｉ）第１領域の表示内容が変更されると、客体活性化条件が満たされたと判断してもよく、ｉｉ）学習者入力によって学習者の学習結果が変更されると、客体活性化条件が満たされたと判断してもよい。ｉｉｉ）または、学習者管理部１９０で学習者の学習進行状況を分析した結果によって客体活性化条件が満たされてもよい。
【００５１】
メイン画面で学習領域（パート）推薦
【００５２】
ｉ）の実施例について述べる。図７を参照すると、ユーザが‘メイン’項目を選択して第１領域の表示内容が学習者の学習領域別成就度を表すメイン画面に変更されると（ａ）、ＵＩ生成部１３０は、（ｂ）に示すようにＡＩ客体３００を活性化し、最も低い成就度を有する学習領域を推薦するメッセージをＡＩメッセージ３５０に表示することができる。
【００５３】
予測点数の変更又は予測点数の目標点数への到達など
【００５４】
ｉｉ）の実施例について述べる。学習者入力によって変わり得る学習結果は、学習者の問題解き結果を用いて演算される予測点数、学習者の既に設定した目標点数に到達したか否か、学習者の問題解き結果の正誤答、学習者の問題解き結果を用いて演算される学習者の学習領域別成就度、学習者の問題解き結果を用いて演算される学習者の等級情報、又は学習者の問題解き結果を用いて演算される次の問題の正答確率などを含むことができる。
【００５５】
例えば、学習者入力によって問題解きコンテンツの学習が完了すると、問題解き結果を用いて演算される学習者の予測点数が変わり得る。例えば、診断テストによって学習者の予測点数が図８に示すように６８０点と算出されたが、特定の問題解きコンテンツを学習した結果、脆弱な領域の成就度が上がったと判断され、これによって予測点数が変更され得る。予測点数が変更されると、ＵＩ生成部１３０は、予測点数が変更された旨及び変更された予測点数をＡＩメッセージ３５０に表示することができる。
【００５６】
学習者の問題解き結果を用いて予測点数を算出し、新しい問題解き結果がアップデートされる度に予測点数を再算出する作業は、学習者管理部１９０で行うことができる。学習者管理部１９０は機械学習によって診断テストから収集した問題解きデータを用いて予測点数を演算する。また、予測点数がアップデートされる度に、学習者から受信した目標点数と前記予測点数とを比較してそれをＵＩ生成部１３０に提供することによって、ＵＩ生成部１３０が学習者に予測点数、予測点数の目標点数到達の有無などを表示できるようにする。
【００５７】
また、学習者管理部１９０は、それぞれの学習者に対して学習領域別成就度を管理し、学習者の問題解き結果を用いて学習者の等級を演算し、学習者の学習領域別成就度、問題征服率などを用いて問題データベース（保存部）にある各問題を正解する確率を計算することができる。
【００５８】
さらに他の実施例として、学習者の予測点数が上がって目標点数に到達するとＡＩ客体３００が活性化され、ＵＩ生成部１３０は、図９に示すように、予測点数が目標点数に到達したという内容をＡＩメッセージ３５０に表示することができる。
【００５９】
学習コンテンツが問題解きコンテンツである場合
【００６０】
学習コンテンツが問題解きコンテンツである場合、ｃ段階でＵＩ生成部１３０は、端末から第１問題に対する答案が入力されると、第１客体活性化条件を満たすと判断でき、第１客体活性化条件に対応するＡＩメッセージは、次の問題のローディングメッセージ、答案の正誤、答案の正誤を用いて演算される学習者の学習領域別成就度、答案の正誤を用いて演算される学習者の等級情報、答案の正誤を用いて演算される学習者の脆弱学習領域、脆弱学習領域に対応する推薦講義名又は推薦講義のリンクのうち少なくとも一つを含むことができる。
【００６１】
例えば、図４に示すように、学習者が診断テストの最後の問題の答案を入力すると、ＵＩ生成部１３０は“診断テスト結果を分析中…予測点数を導出中…パート別等級を確認中…”というＡＩメッセージ３５０ａを順次に又は一度に表示することができる。診断テスト完了後、学習者管理部１９０が診断テスト結果を分析し、予測点数を導出し、パート別等級を演算するのに多少時間がかかることがあるので、ローディングされていることをＡＩメッセージに表示することによって、サーバー１００でいかなる作業が行われているかが学習者にとって確認できる。ローディングが完了すると、ＡＩメッセージ３５０ｂは診断テストが完了したことを知らせ、点数及び等級を画面の第１領域に表示することができる。
【００６２】
さらに他の実施例として、図５に示すように、学習者が問題解きコンテンツに含まれた問題のいずれか一つの答案を入力すると、サーバー１００は問題解きデータを反映して新しい問題を検索でき、前記答案の正誤を反映して次の問題を正解する確率を演算してローディングメッセージと共に表示３５０することができる。
【００６３】
さらに他の実施例として、図６に示すように、学習者が一つ以上の問題を含む問題解きコンテンツの最後の問題の答案を入力すると、当該問題解きコンテンツの学習が終了するが、ＵＩ生成部１３０は問題解き完了メッセージと共に、前記問題解きコンテンツに含まれた問題の正誤を用いて演算される学習者の等級情報、問題解きコンテンツの分析結果統計情報（問題解きコンテンツに含まれた全問題のうち学習者が解いた問題の個数、及び問題解きコンテンツに含まれた問題ではあるが、問題を解く過程でユーザの答案入力に基づく難易度調整によって省略された問題の個数など）を表示することができる。
【００６４】
図１７は、問題解きコンテンツを解く中に、学習者管理部１９０で学習者の学習進行状況を分析した結果によって客体活性化条件が満たされるｉｉｉ）の実施例を示す図である。例えば、問題を解く過程で名詞との関連度が高い問題で誤答が発生し続くと分析された場合（学習者管理部１９０は、各問題がいかなる学習要素を含んでいるか、及び当該問題の正誤答に基づいて各学習要素に対する成就度を個別演算することができる。）、学習者管理部１９０は弱点類型が発見されたと分析できる。サーバー１００が知能的で能動的に学習進行状況を分析し、その結果が（学習者入力とは関係なく）導出された場合、図１７に示すように、ＡＩ客体３００はＡＩメッセージ３５０に脆弱学習領域、脆弱学習領域に対応する推薦講義名、推薦講義のリンク、予想等級情報などを表示することができる。ただし、ｉｉｉ）の実施例は、実質的には学習者入力によって客体活性化条件が満たされるｉｉ）の実施例と同一なものとして考えても構わない。学習者の学習過程でサーバー１００が端末から継続して学習者入力を受信し、受信される入力（コンテンツ選択、正誤答入力など）によって学習者の学習状況データがアップデートされるためである。
【００６５】
診断テストの誘導
【００６６】
客体活性化条件は開発者の設定によって様々に生成され得る。上述した分類に含まれない他の実施例として、ｃ段階でＵＩ生成部１３０は、学習者入力が新規問題学習要請であれば、ＵＩ生成部１３０は、学習者の診断テスト結果がデータベース（保存部１７０）に存在するか否か確認できる。仮に学習者の診断テスト結果がデータベースに存在しないと、診断テストを誘導する第２客体活性化条件を満たすと判断できる。このとき、第２客体活性化条件に対応するＡＩメッセージは、診断テストを誘導するメッセージ及び診断テストを実行するアクション客体を含むことができる。
【００６７】
本発明の一実施例に係る学習問題提供装置１００は、学習者の診断テスト結果に基づいて学習者に合う問題を提供するので、診断テスト分析結果をまず収集する必要がある。したがって、ＵＩ生成部１３０は学習者から新規問題学習要請入力を受信すると、学習者が診断テストを行ったか否かをまず確認することができる。そして、図３に示すように、診断テストを誘導するＡＩメッセージ３５０を第３領域に表示することができる。診断テストを誘導するＡＩメッセージ３５０には診断テストコンテンツをすぐに開始できるリンク（アクション客体）が含まれ、ユーザがすぐに診断テストを行うように誘導する。
【００６８】
先延ばしにした学習の誘導
【００６９】
客体活性化条件の他の実施例として、完了していない第１学習コンテンツが存在する状態で端末から新規学習コンテンツ開始入力を受信すると、第３客体活性化条件を満たすと判断できる。この場合、第３客体活性化条件を満たすＡＩメッセージは、第１学習コンテンツの学習を誘導するメッセージ及び第１学習コンテンツを実行するアクション客体を含むことができる。
【００７０】
本発明の一実施例によれば、学習者は各学習コンテンツを実行する途中に中断することがあるが、このような学習履歴は学習者管理部１９０が記録及び管理し、保存部１７０に保存される。したがって、解かずにいる問題解きコンテンツが存在するか、或いは再生が完了していない講義コンテンツが存在する状態で端末から新規問題解きコンテンツを開始する入力又は新規講義コンテンツを再生する入力を受信すると、ＵＩ生成部１３０は、完了していない学習コンテンツを完了するように学習者を励ますメッセージをＡＩメッセージに表示し、当該学習コンテンツを直接探すことなく直ちに実行できるようにアクション客体（先延ばしにした学習コンテンツ実行リンク）をＡＩメッセージに表示することができる。
【００７１】
問題を解く時間が短すぎる場合
【００７２】
学習コンテンツが問題解きコンテンツである場合、ＵＩ生成部１３０は、任意の問題を第１領域に表示し、問題に対する答案が入力された時間が既に設定された基準値未満であれば、第４客体活性化条件を満たすと判断できる。この場合、第４客体活性化条件に対応するＡＩメッセージは、問題を解く速度に対する通知メッセージを含むことができる。
【００７３】
図１０の例示を参照すると、問題を解く時間が３秒以下である場合、ＡＩメッセージ３５０には“問題を解く速度が速すぎます”という報知メッセージが表示され得る。問題を解く時間が短すぎるということは、問題を当てずっぽうで解いた可能性があるので、ＵＩ生成部１３０は学習者が問題を当てずっぽうで解かないようにＡＩメッセージを生成することによって警戒心を悟らせることができる。
【００７４】
以下では、ＡＩ客体３００とＡＩメッセージ３５０以外に、学習問題をウェブページ及び応用プログラムに表示する方法について具体的に説明する。
【００７５】
ＵＩ生成部１３０は、図１１に示すように、ウェブページ（画面）上段の固定した一領域２３３に、問題を解く時間を表示し、ウェブページ上段の固定した一領域２３７に、既に設定された第１目標個数と解いた問題の個数との比を表示することができる。
【００７６】
ＵＩ生成部１３０はウェブページ上段の固定した一領域２３１に、前記問題を解く時間の一時停止及びカウント再生ボタンをさらに表示でき、ウェブページ上段の固定した他の一領域２３５に、問題の特性情報を表示することができる。問題の特性情報は、問題の属した単元（パート）、問題の種類、問題の特徴など、ウェブページに表示された問題の上位カテゴリー情報であり得る。
【００７７】
さらに、ＵＩ生成部１３０は、ウェブページ上段の固定した一領域２３９に、学習終了ボタンを備えることができる。学習終了ボタンを押すと、いつでも現画面から初期画面に切替可能であり、学習終了ボタンを選択する入力が受信されると、学習問題提供装置１００は、学習者の現在学習位置を学習者の識別情報及び問題のパート情報と共に保存部１５０に保存し、後で当該パートで学習者が解いていた問題を引き続き解けるようにし得る。
【００７８】
一般に、ウェブページ上段の一領域２３０はヘッダー（ｈｅａｄｅｒ）と呼ばれ、全てのページで同一に表されるフレーム構成である。本発明のＵＩ生成部１３０は、ヘッダー領域に上述の情報を表示することによって、学習者が問題解き状況を確認できるようにする。
【００７９】
特に、問題を解く時間２３３は、一定時間内に多数の問題を解かなければならない学習者にとって、問題を解く時間を確認して調節できるようにする。問題を解く時間は問題解きモードではカウントアップ又はカウントダウンされ、採点モードではカウントされないように設定され得る。
【００８０】
一方、一領域２３７に表示された、第１目標個数と解いた問題の個数との比は、学習者の問題解きによって能動的に変化するように設定され得る。例えば、進行要請ボタン２９０が選択されると、ＵＩ生成部１３０は、解いた問題の個数と第１目標個数を比較することができる。そして、比較の結果、解いた問題の個数が第１目標個数を達成又は超過すると、一領域の表示を、既に設定された第２目標個数と解いた問題の個数との比に切り替えて表示できる。図１２を参照すると、初期値としては目標個数を５個に設定し、５問題と現在まで解いた問題の個数（２問題）との比を表示することができる（２３７ａ）。特に、目標個数と解いた問題の個数との比を、バー又はグラフのように比率が確認できるグラフィックで提供することによって、学習者が直観的に目標達成率を確認できるように表示することができる。
【００８１】
仮に、解いた問題が５個を超えると、一領域の表示は、２３７ｂのように１０問題を目標個数にする表示に切り替わる。このような方式で目標個数を５問題−＞１０問題−＞１５問題−＞２０問題−＞３０問題−＞５０問題に増やすことができ、このような表現方式によって学習者は目標を達成したという成就感を感じ続けることができる。
【００８２】
上記のようなユーザインターフェースは、短期目標を設定した時に達成率がより上がる学習原理に着目したものである。しかも、全体問題数が増加するにつれて目標問題個数をより大きく設定することがあるが、この場合にも、一領域の表示を、比率を確認できるように各個数に対応する大きさのイメージで提供すれば、学習者は、実際に増加した目標問題の個数よりも少ない個数で増加したかのように認知でき、結果として、学習者がより多数の問題を解けるように誘引する効果がある。
【００８３】
一方、再び図１１を参照すると、ＵＩ生成部１３０は、ウェブページの第１コンテンツ表示領域２５０に文字、写真又は音声の本文を含む本文客体を一つ以上表示でき、第１コンテンツ表示領域２５０の一側に隣接した第２コンテンツ表示領域２７０に、質問及び／又は選択肢で構成された問題客体を一つ以上表示することができる。
【００８４】
図１１の実施例において、ウェブページの第１コンテンツ表示領域２５０には音声本文客体２５１ａと写真本文客体２５３が表示され、第２コンテンツ表示領域２７０には、特別な問題内容無しで、各選択肢として“Ｍａｒｋ  ｙｏｕｒ  ａｎｓｗｅｒ”との記載が４個表示されている。
【００８５】
ＵＩ生成部１３０は、ウェブページ下段に進行要請ボタン２９０をフローティングさせることができる。進行要請ボタン２９０は、次のページに進むための入力を受信するボタンであり、上位レイヤに表示されてもよく、レイヤ無しで第１コンテンツ表示領域２５０又は第２コンテンツ表示領域２７０の上段にフローティングされてもよい。反応型ウェブページにおいて、進行要請ボタン２９０は、ウェブブラウザの大きさに応じて表示されるウェブページの下段中央に固定表示されるように設定可能である。
【００８６】
また、ＵＩ生成部１３０は、各コンテンツ表示領域２５０，２７０に一つ以上の本文客体や一つ以上の問題客体が一度に表示されないと、各領域の一側面に位置したスクロールバー２５９，２７９を活性化させることができる。すなわち、各コンテンツ表示領域２５０，２７０は独立して動作し、図１３に示すように、本文客体は一度に表示されるが、質問客体は一度に表示されない場合には、第２コンテンツ表示領域２７０に活性化されたスクロールバー２７９を用いて画面に確認しようとする本文客体が表示されるように調節できる。
【００８７】
以下では、様々な実施例においてＵＩ生成部１３０によってウェブページに表示される内容をより詳細に説明する。
【００８８】
問題解きモード
【００８９】
以下では、図１３を参照して、問題解きモードについてより詳細に説明する。
【００９０】
図１３を参照すると、ＵＩ生成部１３０は、問題解きモードで、ウェブページ上段の固定した一領域２３３に、問題を解く時間をカウントすることができる。問題を解く時間はカウントアップ又は既に設定された時間からカウントダウンされ得る。
【００９１】
図１３の例示において、第１コンテンツ表示領域２５０には一つの文字本文を含む本文客体２５５が表示され、第２コンテンツ表示領域２７０には一つ以上の問題客体が表示されている。図１３に示す問題は、一つの本文に３個の問題が関連している結合問題であるので、３個の問題客体２７１ａ，２７１ｂ，２７１ｃが表示されている。
【００９２】
それぞれの問題客体２７１には、質問２７１−１と選択肢２７１−３が表示され得る。（ａ）は、問題を一つも解いていない状態を示す図であり、（ｂ）は、問題を全て解いた、すなわち学習者が答案を全て選択した場合の図であり、（ａ）では、問題客体２７１に含まれた複数の選択肢がいずれも同じ方式で表示される。学習者が複数の選択肢からいずれかを選択すると、ＵＩ生成部１３０は、選択された選択肢以外は２７１−３ｃのように非活性化表示されるように設定できる。
【００９３】
また、表示された問題客体の全てに対する選択肢選択が完了すると、（ａ）では２９０ａのように表示されていた進行要請ボタンが、（ｂ）の２９０ｂのように活性化され得る。これは、実質的に、学習者が答案を全て選択しない状態では次の段階に進行できず、答案を全て選択した場合（ｂ）にのみ、次の段階に進行できることを意味する。
【００９４】
問題解きモードにおいて進行要請ボタン２９０には“採点する”のようなテキストが表示され得るが、これに限定されるものではない。
【００９５】
採点モード
【００９６】
図１４及び図１５は、採点モードでウェブページに表示される構成を説明するための図である。図１４を参照すると、ＵＩ生成部１３０は、採点モードでは、一領域２３３の問題を解く時間がカウントされないように設定できる。
【００９７】
採点モードは、問題解きモードで進行要請ボタン２９０をクリックすると切り替わるモードであり、学習者が入力した答えに対する結果を提供し、解いた問題に基づいて学習がなされるようにする一種の学習モードである。採点モードにおいて進行要請ボタン２９０には“次の問題”のようなテキストが記載され得る。
【００９８】
図１４に示す問題は、写真と音声を参照して問題を解く、図１１と同じ類型の問題である。図１１と同様な問題解きモードにおいて音声本文は再生機２５１ａを用いて再生されるが、図１４に示す採点モードにおいて再生機２５１ｂは、再生又は一時停止ボタン２５１−１、再生時点設定機能を提供するボタン２５１−２〜４を含み、上述した機能を提供することができる。
【００９９】
採点モードにおいて、ＵＩ生成部１３０は、第１コンテンツ表示領域２５０に問題解きモードに表示される音声本文２５１ａ、写真本文２５３、文字本文２５５に加えて、文字本文の解析、音声本文のスクリプト、スクリプトの解析、音声本文の話者情報、文字本文又はスクリプトに含まれた単語情報のうち少なくとも一つをさらに表示することができる。
【０１００】
例えば、図１５に示すように、音声本文を提供し、これに基づいて問題が提供される類型の場合、音声本文のスクリプト２５６、スクリプトの解析２５７、音声本文の話者がアメリカ人か、イギリス人か、オーストラリア人かなどの音声本文の話者情報２５８、文字本文又はスクリプトに含まれた単語情報２５９が第１コンテンツ表示領域２５０に付加され得る。このような内容は、聞き取り問題の細部内容を確認し、学習者にとってより明確に内容を把握できるようにする。
【０１０１】
また、ＵＩ生成部１３０は、第２コンテンツ表示領域２５０に問題解きモードで表示される質問及び／又は選択肢に加えて、正答か誤答か、質問の解析、選択肢の解析、問題客体に対する解説、問題客体に対する誤答分析情報、問題客体の類型に関する情報のうち少なくとも一つがさらに表示されるように設定できる。
【０１０２】
図１４を参照すると、質問２７１−１には、正答か誤答ががさらに表示され、選択肢２７１−３の下には各選択肢に対する解析２７１−５がさらに表示され得る。また、問題客体２７１の下段に問題客体に対する解説２７３、誤答分析情報２７５、問題客体の類型に関する情報２７６がさらに表示される。問題客体の類型情報は、当該問題に関する助言（ｔｉｐ）であり、将来学習者が類似の類型の問題を解く上で参考できる情報が含まれ得る。このような追加コンテンツはいずれも保存部１５０に保存されたものであり、ユーザ選択が正答か誤答かによって選択的にコンテンツが追加適用され得る。
【０１０３】
図１５には、第１コンテンツ表示領域２５０及び第２コンテンツ表示領域２７０の一側面下段に小さい四角形イメージ２８０−２が表示されているが、これは、各領域に表示された本文客体又は問題客体の数を意味する。例えば、図１５の例示は、音声本文が３個の問題と関連している結合問題であるので、第２コンテンツ表示領域には問題４から問題６までの３個の問題客体が表示される。領域内に表示された客体の数は、学習者が見逃す本文又は問題がないように案内する指示子であり、指示子２８０は文字、図形又は数字などで表示可能である。
【０１０４】
図１６は、学習者が選択した選択肢が正答か誤答かによって第２コンテンツ表示領域に表示される情報が変わる場合の一実施例である。
【０１０５】
ＵＩ生成部１３０は、（ａ）のように学習者が問題解きモードで選択した第１選択肢２７１−７が正答である場合、問題客体の下段に問題客体の類型情報２７６を表示し、問題客体に含まれた第１選択肢は、第２色（青色）で正答表示２７１−７できる。
【０１０６】
そして、学習者が問題解きモードで選択した第１選択肢２７１−４が誤答である場合には、問題客体の下段に誤答分析情報を表示し、問題客体に含まれた第１選択肢は誤答表示２７１−４し、正答に該当する選択肢２７１−２は、既に設定された第１色（赤色）で表示できる（２７１−８）。
【０１０７】
このように、正答か誤答かによって正答に該当する選択肢の色を異ならせて表示することによって、学習者にとって間違った問題をより直観的に認知できるようにする効果がある。
【０１０８】
通信部１７０は、ＵＩ生成部１３０が生成した学習コンテンツを学習者端末５０に伝送することによって、学習者が上述の方式で表示されたコンテンツを用いて学習できるようにする。
【０１０９】
以下では、本発明の一実施例に係る学習問題提供方法を簡略に説明する。以下に説明する例示では、重複する説明の一部は省略する。学習問題提供方法の場合、ｆ段階、ｇ段階のように段階で区分したが、これは各表示内容を区分するだけで、順次に行われるものではない。したがって、その順序にも拘束されないところ、本明細書では順序図を別途作成していないことに留意されたい。
【０１１０】
本発明の一実施例によれば、サーバーが学習問題を提供する方法において、ウェブページ上段の固定した一領域に、問題を解く時間を表示する（ｆ）。表示される問題を解く時間は、問題解きモードではカウントされ得るが、採点モードではカウントされなくて済む。
【０１１１】
サーバーは、ウェブページ上段の固定した一領域に、既に設定された第１目標個数と解いた問題の個数との比を表示できる（ｇ）。この段階でサーバーは、進行要請ボタンが選択されると、解いた問題の個数と第１目標個数とを比較し、比較の結果、解いた問題の個数が第１目標個数を達成又は超えると、一領域の表示を、既に設定された第２目標個数と解いた問題の個数との比に切替表示できる。この場合、サーバーは、第１目標個数と解いた問題の個数との比を各個数に対応する大きさのイメージで表示し、学習者にとって目標問題個数と解いた問題の個数との比を直観的に認知できるようにし得る。
【０１１２】
サーバーは、ウェブページの第１コンテンツ表示領域に文字、写真又は音声の本文を含む本文客体を一つ以上表示できる（ｈ）。問題解きモードでサーバーは第１コンテンツ表示領域に本文客体を表示でき、採点モードでサーバーは第１コンテンツ表示領域に文字本文の解析、音声本文のスクリプト、スクリプトの解析、音声本文の話者情報、文字本文又はスクリプトに含まれた単語情報のうち少なくとも一つをさらに表示できる。
【０１１３】
音声本文は再生機によって音声出力され、問題解きモードで再生機は再生又は一時停止機能を提供し、採点モードで再生機は再生、一時停止、再生時点設定機能を提供できる。
【０１１４】
なお、サーバーは、第１コンテンツ表示領域に本文客体を表示する際、一つ以上の本文客体が第１コンテンツ表示領域に一度に表示されないか、一つ以上の問題客体が第２コンテンツ表示領域に一度に表示されないと、各領域の一側面に位置したスクロールバーを活性化させることができる。
【０１１５】
サーバーは、第１コンテンツ表示領域の一側に隣接した第２コンテンツ表示領域に、質問又は選択肢のうち少なくとも一つを含む問題客体を一つ以上表示することができる（ｉ）。サーバーは、問題解きモードで学習者が選択肢のいずれか一つを選択すれば、選択された選択肢以外は非活性化表示でき、採点モードにおいて、正答か誤答か、質問の解析、選択肢の解析、問題客体に対する解説、問題客体に対する誤答分析情報、問題客体の類型に関する情報のうち少なくとも一つをさらに表示することができる。
【０１１６】
ｉ段階で、学習者が問題解きモードで選択した第１選択肢が誤答である場合、サーバーは採点モードで問題客体の下段に誤答分析情報を表示し、問題客体に含まれた第１選択肢は誤答表示し、正答に該当する選択肢は既に設定された第１色で表示し、第１選択肢が正答である場合、第１選択肢を第１色と異なる第２色で表示できる。
【０１１７】
サーバーは、ウェブページの下段に進行要請ボタンをフローティングさせることができる（ｊ）。問題解きモードでサーバーは、表示された問題客体の全てに対して選択が完了すると、進行要請ボタンを活性化させることができる。
【０１１８】
また、サーバーは、本文客体の数を第１コンテンツ表示領域の一側面に表示するか、問題客体の数を第２コンテンツ表示領域の一側面に表示できるが、このような客体の数は文字、数字、図形などの指示子で表示可能である。
【０１１９】
本明細書で省略された一部の実施例は、その実施主体が同一である場合、同一に適用可能である。また、前述した本発明は、本発明の属する技術の分野における通常の知識を有する者にとって、本発明の技術的思想を逸脱しない範囲内で様々な置換、変形及び変更が可能であり、前述した実施例及び添付の図面によって限定されるものではない。
【図１】
2021516809.tif 000003
【図２】
2021516809.tif 000004
【図３】
2021516809.tif 000005
【図４】
2021516809.tif 000006
【図５】
2021516809.tif 000007
【図６】
2021516809.tif 000008
【図７】
2021516809.tif 000009
【図８】
2021516809.tif 000010
【図９】
2021516809.tif 000011
【図１０】
2021516809.tif 000012
【図１１】
2021516809.tif 000013
【図１２】
2021516809.tif 000014
【図１３】
2021516809.tif 000015
【図１４】
2021516809.tif 000016
【図１５】
2021516809.tif 000017
【図１６】
2021516809.tif 000018
【図１７】
2021516809.tif 000019
【国際調査報告】
2021516809.tif 000020
2021516809.tif 000021
2021516809.tif 000022
2021516809.tif 000023